【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
入力される画像情報に応じた入力画像を投射するプロジェクタであって、
前記入力画像を投射するとともに、前記入力画像を構成するフレーム間で、前記入力画像の表示状態を調整するためのパターン画像を投射して、前記入力画像及び前記パターン画像を所定の領域内に表示する表示手段と、
前記表示手段により表示された画像を撮像する撮像手段と、
前記撮像手段により撮像された前記パターン画像に基づいて、前記入力画像の表示状態を調整する調整手段と、
を備えることを特徴とするプロジェクタ。
【請求項２】
請求項１に記載のプロジェクタにおいて、
前記パターン画像を生成するパターン画像生成手段を備えることを特徴とするプロジェクタ。
【請求項３】
請求項２に記載のプロジェクタにおいて、
前記パターン画像生成手段は、前記フレームのうち、前記パターン画像の直前及び直後の少なくともいずれかに表示されるフレームである元画像に基づいて、前記パターン画像を生成することを特徴とするプロジェクタ。
【請求項４】
請求項３に記載のプロジェクタにおいて、
前記パターン画像生成手段は、前記元画像を構成する画素の階調値を変化させることで、前記パターン画像を生成することを特徴とするプロジェクタ。
【請求項５】
請求項４に記載のプロジェクタにおいて、
前記調整手段は、
前記撮像手段により撮像された前記元画像及び前記パターン画像のそれぞれに対応する画素の階調値の差分を取得する差分取得部と、
取得された前記差分に基づいて、前記パターン画像に含まれる特徴点を抽出する特徴点抽出部と、
当該プロジェクタから、抽出された前記特徴点までの距離を取得する距離取得部と、
取得された前記距離に基づいて、投射される前記入力画像の焦点位置、及び、前記入力画像の形状のうち、少なくともいずれかを調整する調整部と、
を備えることを特徴とするプロジェクタ。
【請求項６】
請求項３に記載のプロジェクタにおいて、
前記パターン画像生成手段は、前記パターン画像として、前記元画像が透過する透過領域、及び、当該元画像が透過しない非透過領域がそれぞれ複数形成された第１パターンを前記元画像に重畳させた第１パターン画像を生成することを特徴とするプロジェクタ。
【請求項７】
請求項６に記載のプロジェクタにおいて、
前記パターン画像生成手段は、前記第１パターン画像と、前記第１パターンとは前記透過領域及び前記非透過領域が置き換えられた第２パターンを前記元画像に重畳させた第２パターン画像とを生成し、
前記調整手段は、
前記撮像手段により撮像された前記第１パターン画像及び前記第２パターン画像からエッジ成分をそれぞれ抽出するエッジ抽出部と、
抽出された前記各エッジ成分から、前記第１パターン及び前記第２パターンに共通するパターンを取得するパターン取得部と、
取得された前記パターンから特徴点を抽出する特徴点抽出部と、
当該プロジェクタから、抽出された前記特徴点までの距離を取得する距離取得部と、
取得された前記距離に基づいて、投射される前記入力画像の焦点位置、及び、前記入力画像の形状のうち、少なくともいずれかを調整する調整部と、
を備えることを特徴とするプロジェクタ。
【請求項８】
入力される画像情報に応じた入力画像を投射して表示するプロジェクタを用いて行われ、投射される前記入力画像の表示状態を調整する表示調整方法であって、
前記入力画像を構成するフレーム間で、前記入力画像の表示状態を調整するためのパターン画像を表示するパターン画像表示手順と、
前記表示手段により表示された前記パターン画像を撮像する撮像手順と、
撮像された前記パターン画像に基づいて、前記入力画像の表示状態を調整する調整手順と、
を有することを特徴とする表示調整方法。
【請求項９】
請求項８に記載の表示調整方法において、
前記パターン画像表示手順の前に行われ、前記パターン画像を生成するパターン画像生成手順を有することを特徴とする表示調整方法。
【請求項１０】
入力される画像情報に応じた入力画像を投射して表示するプロジェクタにより実行され、投射される前記入力画像の表示状態を調整する表示調整プログラムであって、
前記入力画像を構成するフレーム間で、前記入力画像の表示状態を調整するためのパターン画像を表示するパターン画像表示ステップと、
前記表示手段により表示された前記パターン画像を撮像する撮像ステップと、
撮像された前記パターン画像に基づいて、前記入力画像の表示状態を調整する調整ステップと、
を実行させることを特徴とする表示調整プログラム。
【請求項１１】
請求項１０に記載の表示調整プログラムにおいて、
前記パターン画像表示ステップの前に、前記パターン画像を生成するパターン画像生成ステップを実行させることを特徴とする表示調整プログラム。
【請求項１２】
請求項１０又は請求項１１に記載の表示調整プログラムをコンピュータ読取可能に記録したことを特徴とする記録媒体。
【手続補正２】
【補正対象書類名】明細書
【補正対象項目名】０００７
【補正方法】変更
【補正の内容】
【０００７】
前記した目的を達成するために、本発明のプロジェクタは、入力される画像情報に応じた入力画像を投射するプロジェクタであって、前記入力画像を投射するとともに、前記入力画像を構成するフレーム間で、前記入力画像の表示状態を調整するためのパターン画像を投射して、前記入力画像及び前記パターン画像を所定の領域内に表示する表示手段と、前記表示手段により表示された画像を撮像する撮像手段と、前記撮像手段により撮像された前記パターン画像に基づいて、前記入力画像の表示状態を調整する調整手段と、を備えることを特徴とする。
【手続補正３】
【補正対象書類名】明細書
【補正対象項目名】０００９
【補正方法】変更
【補正の内容】
【０００９】
本発明では、前記パターン画像を生成するパターン画像生成手段を備えることが好ましい。
本発明では、前記パターン画像生成手段は、前記フレームのうち、前記パターン画像の直前及び直後の少なくともいずれかに表示されるフレームである元画像に基づいて、前記パターン画像を生成することが好ましい。
本発明によれば、入力画像のフレーム間で表示されるパターン画像は、当該パターン画像の直前及び直後の少なくともいずれかに表示されるフレームである元画像に基づいて生成される。これによれば、各フレーム及びパターン画像が連続して表示される際に、当該パターン画像の表示を一層目立たなくすることができる。従って、表示されるパターン画像を一層認識させにくくすることができる。
【手続補正４】
【補正対象書類名】明細書
【補正対象項目名】００１６
【補正方法】変更
【補正の内容】
【００１６】
また、本発明の表示調整方法は、入力される画像情報に応じた入力画像を投射して表示するプロジェクタを用いて行われ、投射される前記入力画像の表示状態を調整する表示調整方法であって、前記入力画像を構成するフレーム間で、前記入力画像の表示状態を調整するためのパターン画像を表示するパターン画像表示手順と、前記表示手段により表示された前記パターン画像を撮像する撮像手順と、撮像された前記パターン画像に基づいて、前記入力画像の表示状態を調整する調整手順と、を有することを特徴とする。
本発明によれば、前述のプロジェクタと同様の効果を奏することができる。すなわち、パターン画像が、入力画像のフレーム間で表示されるので、当該入力画像を表示したまま、入力画像の表示状態を調整することができる。
なお、本発明では、前記パターン画像表示手順の前に行われ、前記パターン画像を生成するパターン画像生成手順を有することが好ましい。
【手続補正５】
【補正対象書類名】明細書
【補正対象項目名】００１７
【補正方法】変更
【補正の内容】
【００１７】
また、本発明の表示調整プログラムは、入力される画像情報に応じた入力画像を投射して表示するプロジェクタにより実行され、投射される前記入力画像の表示状態を調整する表示調整プログラムであって、前記入力画像を構成するフレーム間で、前記入力画像の表示状態を調整するためのパターン画像を表示するパターン画像表示ステップと、前記表示手段により表示された前記パターン画像を撮像する撮像ステップと、撮像された前記パターン画像に基づいて、前記入力画像の表示状態を調整する調整ステップと、を実行させることを特徴とする。
本発明によれば、前述のプロジェクタ及び表示調整方法と同様の効果を奏することができる。
なお、本発明では、前記パターン画像表示ステップの前に、前記パターン画像を生成するパターン画像生成ステップを実行させることが好ましい。